(57)【要約】  【課題】  人等が暗渠型水路部へ流入又は進入すること未然に防止し、水路への設置工事を迅速且つ簡素に行うことができるスクリーン装置を提供すること。  【解決手段】  複数本のスクリーンバー２は支保金具３によって水路２０の暗渠路２２より上流側で支保され、その支保金具３は、暗渠路２２における流入口２４の上方に垂設される流入口上部壁面２３ａに固定される。よって、人や動物が水路２０内に転落して押し流されると、開放路２１から暗渠路２２へと流入する手前で、複数本のスクリーンバー２により堰き止められる。また、人や動物が開放路２１内へ降りて暗渠路２２の流入口２４から暗渠路２２内へ進入しようとすれば、複数本のスクリーンバー２によって阻まれる。更に、複数本のスクリーンバー２にゴミが絡み付くような場合には、ゴミが絡み付いているスクリーンバー２だけが水路２０内から抜き上げられて、そのスクリーンバー２からゴミが除去される。【選択図】        図１
0003114370.tif 000002
【実用新案登録請求の範囲】
【請求項１】
上面部が開放される開放型水路部から暗渠型水路部へ向けて液体が流通する水路に設置される暗渠型水路部流入進入防止用スクリーン装置において、
前記暗渠型水路部の流入口の上縁部から下縁部にかけて垂設され、前記水路内の液体流通方向に対して略直交する水路幅方向に所定間隔で並設され、その水路の底面に離反可能に縦立される複数のスクリーンバーと、
その複数のスクリーンバーがそれぞれ独立して略鉛直方向へ挿脱可能に貫設され、その複数のスクリーンバーの上部を支保すると共に、前記暗渠型水路部の流入口の上方に垂設される上部壁面に固定される支保部材とを備えていることを特徴とする暗渠型水路部流入進入防止用スクリーン装置。
【請求項２】
前記複数のスクリーンバーを前記支保部材に対して着脱可能に連結する連結部材を備えていることを特徴とする請求項１記載の暗渠型水路部流入進入防止用スクリーン装置。
【請求項３】
前記支保部材は、前記上部壁面に板面が当着されて固定される固定板と、その固定板から前記上部壁面の反配設側へそれぞれ突設され略鉛直方向に間隔を隔てて略平行に設けられる一対の支保板とを備えており、
前記複数のスクリーンバーの上部は、その一対の支保板の双方に略鉛直方向に挿脱可能に貫設され、その一対の支保板間に跨設されていることを特徴とする請求項１又は２に記載の暗渠型水路部流入進入防止用スクリーン装置。
【請求項４】
前記請求項２記載の連結部材を備えており、
前記複数のスクリーンバーの上部であって前記一対の支保板間に位置する部分には、その複数のスクリーンバーの並設方向に貫通する第１の遊挿孔がそれぞれ穿設されており、
前記連結部材は、
前記複数のスクリーンバーにおけるそれらの第１の遊挿孔の全て遊挿される連環状のチェーン部材と、
そのチェーン部材の両端部を繋ぎ合わせて施錠する施錠具とを備えていることを特徴とする請求項３記載の暗渠型水路部流入進入防止用スクリーン装置。
【請求項５】
前記複数のスクリーンバーの上部であって前記一対の支保板より上方又は下方に位置する部分には、その複数のスクリーンバーの並設方向に貫通する第２の遊挿孔がそれぞれ穿設されており、
前記チェーン部材は、前記複数のスクリーンバーにおける前記第１の遊挿孔の全て遊挿されることに加えて、前記第２の遊挿孔の全てにも遊挿されるものであることを特徴とする請求項４記載の暗渠型水路部流入進入防止用スクリーン装置。
【請求項６】
前記複数のスクリーンバーは、その断面縦方向がその断面横方向に比べて長く形成される板状体に形成されており、その断面縦方向が前記水路の液体流通方向と平行となるように形成されていることを特徴とする請求項１から５のいずれかに記載の暗渠型水路部流入進入防止用スクリーン装置。
【考案の詳細な説明】
【技術分野】
【０００１】
本考案は、開放型水路部から暗渠型水路部へと液体が流通する水路に設置される暗渠型水路部流入進入防止用スクリーン装置に関するものである。
【背景技術】
【０００２】
近年、市街地における水路については、地表面に露出した有底Ｕ字溝などの水路（以下、「開放型水路」ともいう。）も数多く残存しているが、その一方で、地中に埋設され暗渠化された水路（以下、「暗渠型水路」ともいう。）も次第に増加している。ところが、このように開放型水路と暗渠型水路とが共存する状況にあっては、開放型水路に転落した人や動物がそのまま暗渠型水路内へ流れ込んでしまう事故の発生確率が高まる虞がある。
【０００３】
例えば、乳幼児や児童などの子供、小柄な人、身体の不自由な人、その他の者、又は、犬や猫などの動物に代表されるペットや野生動物（以下、「人等」ともいう。）が、ひとたび降雨などで流量及び流速が増した開放型水路内へ誤って転落すると、流れに押し流され暗渠型水路内へ流れ込んでしまい、その救出が極めて困難となる。このため、開放型水路から暗渠型水路へと流水が流通する箇所には、人等が暗渠型水路内へ流入することを未然に防止するための対策を講じる必要性が認められる。
【０００４】
また、水嵩の比較的少ない状態においても、乳幼児や児童などの子供が意図的に開放型水路から暗渠型水路内へ進入する事態も充分に予想される。よって、このような暗渠型水路への進入行為を未然に防止するための対策を講じることも求められる。そこで、これら一連の事態を回避するための対策として、本願考案者は、暗渠型水路の流入口にスクリーン装置を設置することを提案した。
【０００５】
一方、スクリーン装置については、これまでに種々のものが提案されており、例えば、特開２００３−２１３６５５公報に記載のスライド引上げ式スクリーンなどが提案されている。そして、このようなスクリーン装置を暗渠型水路の流入口部分に設置すれば、増水時に開放型水路に転落した人等が暗渠型水路内へ流れ込む手前で堰き止められ、低水量時に開放型水路から暗渠型水路内へ進入しようとする人等の行為が阻まれるであろう。
【考案の開示】
【考案が解決しようとする課題】
【０００６】
しかしながら、上記したスライド引上げ式スクリーンは、その設備が比較的大掛かりとなる上、既存の開放型水路と暗渠型水路との連結箇所に新設する場合に大規模な設置工事が必要となるという問題点がある。具体的には、スクリーンの清掃のためにそれを水路外へ引上げるための駆動装置の設置や、その他にも水路幅方向にある両壁面にスクリーンの昇降用のガイドレールを設置する工事が別途必要となるという問題点がある。このため、多数既存する暗渠型水路の流入口に低コストで迅速且つ簡易に設置するには極めて非実用的であるという問題点があった。
【０００７】
本考案は、上述した問題点を解決するためになされたものであり、特に、人等が暗渠型水路部へ流入又は進入すること未然に防止すると共に、水路への設置工事を迅速且つ簡素に行うことができる暗渠型水路部流入進入防止用スクリーン装置を提供することを目的としている。
【課題を解決するための手段】
【０００８】
この目的を達成するために請求項１記載の暗渠型水路部流入進入防止用スクリーン装置は、上面部が開放される開放型水路部から暗渠型水路部へ向けて液体が流通する水路に設置されるものであり、前記暗渠型水路部の流入口の上縁部から下縁部にかけて垂設され、前記水路内の液体流通方向に対して略直交する水路幅方向に所定間隔で並設され、その水路の底面に離反可能に縦立される複数のスクリーンバーと、その複数のスクリーンバーがそれぞれ独立して略鉛直方向へ挿脱可能に貫設され、その複数のスクリーンバーの上部を支保すると共に、前記暗渠型水路部の流入口の上方に垂設される上部壁面に固定される支保部材とを備えている。
【０００９】
この請求項１記載の暗渠型水路部流入進入防止用スクリーン装置によれば、水路上流側から下流側へ流通する液体は、開放型水路部を流下した後、複数のスクリーンバー同士の間を通過してから、暗渠型水路部の流入口を通じて暗渠型水路部内へと流入する。また、人や動物は、水路内を流通する液体中に転落して押し流されても、開放型水路部から暗渠型水路部へと流入する手前で、複数のスクリーンバーによって堰き止められる。
【００１０】
一方、水路内を流通する液体が低量なとき、特に、水路内の底部に液体が滞留しているような場合には、例えば、人や動物が開放型水路部内へ降りて、これらが暗渠型水路部の流入口から暗渠型水路部内へ進入しようとしても、その進入行為は複数のスクリーンバーにより阻まれる。
【００１１】
また、複数のスクリーンバーはそれぞれ独立に支保部材によって支保されている。よって、複数のスクリーンバーにゴミが絡み付き、水路内の液体の流通が阻害されるような場合には、そのゴミが絡み付いているスクリーンバーだけが水路内から略鉛直方向に抜き上げられて、そのスクリーンバーからゴミが除去される。
【００１２】
請求項２記載の暗渠型水路部流入進入防止用スクリーン装置は、請求項１記載の暗渠型水路部流入進入防止用スクリーン装置において、前記複数のスクリーンバーを前記支保部材に対して着脱可能に連結する連結部材を備えている。
【００１３】
請求項３記載の暗渠型水路部流入進入防止用スクリーン装置は、請求項１又は２に記載の暗渠型水路部流入進入防止用スクリーン装置において、前記支保部材は、前記上部壁面に板面が当着されて固定される固定板と、その固定板から前記上部壁面の反配設側へそれぞれ突設され略鉛直方向に間隔を隔てて略平行に設けられる一対の支保板とを備えており、前記複数のスクリーンバーの上部は、その一対の支保板の双方に略鉛直方向に挿脱可能に貫設され、その一対の支保板間に跨設されている。
【００１４】
請求項４記載の暗渠型水路部流入進入防止用スクリーン装置は、請求項３記載の暗渠型水路部流入進入防止用スクリーン装置において、前記請求項２記載の連結部材を備えており、前記複数のスクリーンバーの上部であって前記一対の支保板間に位置する部分には、その複数のスクリーンバーの並設方向に貫通する第１の遊挿孔がそれぞれ穿設されており、前記連結部材は、前記複数のスクリーンバーにおけるそれらの第１の遊挿孔の全て遊挿される連環状のチェーン部材と、そのチェーン部材の両端部を繋ぎ合わせて施錠する施錠具とを備えている。
【００１５】
この請求項４記載の暗渠型水路部流入進入防止用スクリーン装置によれば、請求項３記載の暗渠型水路部流入進入防止用スクリーン装置と同様に作用する上、複数のスクリーンバーは、その上部が上下一対の支保板間に貫設されている状態で、その全スクリーンバーに穿設される第１の遊挿孔にチェーン部材が遊挿されて、そのチェーン部材の両端部が繋ぎ合わせられて施錠具により施錠される。このとき、チェーン部材は上下する支保板同士の間において複数のスクリーンバー同士を繋ぎ止めるので、このチェーン部材の存在が邪魔となって、複数のスクリーンバーが支保板から抜脱不能な状態とされる。
【００１６】
請求項５記載の暗渠型水路部流入進入防止用スクリーン装置は、請求項４記載の暗渠型水路部流入進入防止用スクリーン装置において、前記複数のスクリーンバーの上部であって前記一対の支保板より上方又は下方に位置する部分には、その複数のスクリーンバーの並設方向に貫通する第２の遊挿孔がそれぞれ穿設されており、前記チェーン部材は、前記複数のスクリーンバーにおける前記第１の遊挿孔の全て遊挿されることに加えて、前記第２の遊挿孔の全てにも遊挿されるものである。
【００１７】
請求項６記載の暗渠型水路部流入進入防止用スクリーン装置は、請求項１から５のいずれかに記載の暗渠型水路部流入進入防止用スクリーン装置において、前記複数のスクリーンバーは、その断面縦方向がその断面横方向に比べて長く形成される板状体に形成されており、その断面縦方向が前記水路の液体流通方向と平行となるように形成されている。
【考案の効果】
【００１８】
請求項１又は３に記載の記載の暗渠型水路部流入進入防止用スクリーン装置によれば、水路内を流通する液体の増加時には、その液体に混入して押し流される人や動物などを、複数のスクリーンバーによって暗渠型水路部の流入口手前で堰き止めて、それらが暗渠型水路部へ流入することを防止できる。したがって、地中に埋設されるために一旦流れ込んでしまうと救出が困難な暗渠型水路部内へ、人や動物、特に、乳幼児や児童などの子供が誤って流入する事故を未然に防止できるという効果がある。
【００１９】
また、水路内を流通する液体の低量時には、その水路の開放型水路部から暗渠型水路部内へ進入しようとする人や動物などを、複数のスクリーンバーによって暗渠型水路部の流入口手前で阻んで、それらが暗渠型水路部へ進入することを防止できる。したがって、地中に埋設されるために一旦入り込んでしまうと救出が困難な暗渠型水路部内へ、人や動物、特に、乳幼児や児童などの子供が誤って進入する事故を未然に防止できるという効果がある。
【００２０】
また、複数のスクリーンバーは、支保部材の支保によって水路底面に離反可能に縦立され、その支保部材には、各スクリーンバーのそれぞれが独立して略鉛直方向へ挿脱可能に貫設されている。このため、各スクリーンバーをそれぞれ個別に水路内から引き抜くことができるので、本暗渠型水路部流入進入防止用スクリーン装置のメンテナンス時に複数本あるスクリーンバー全体を引上げる必要がないという効果がある。
【００２１】
そのため、スクリーンバー１本ずつなら人力でも容易に上げ下ろしできるので、大重量のスクリーン全体を昇降させるための動力源となる駆動装置の設置も不要となり、尚かつ、スクリーンの昇降案内用のガイド機構を水路の壁面部に形設する施工工事も不要となる。よって、装置全体として小規模化を図ることができ、水路への設置作業の迅速化および簡素化も図ることができ、多数既存する暗渠型水路部の流入口へも低コストで設置できるという効果がある。
【００２２】
更に、複数のスクリーンバーを支保する支保部材は暗渠型水路部の流入口上方の上部壁面に固定されるので、かかる支保部材が水路内の液体中に沈潜すること防止できる。よって、支保部材が水路内を流通する液体に曝されることが防止されるので、その液体に曝されることによる支保部材へのゴミの付着や、支保部材の腐食を回避できるという効果がある。このため、液体力を受ける複数のスクリーンバーを支保する上で充分な強度を求められる支保部材が、水路内の液体との接触による腐食で強度低下することを防止できるという効果もある。
【００２３】
また、水路の暗渠型水路部における流入口にはその上縁部から下縁部にかけて複数のスクリーンバーが垂設され、この複数のスクリーンバーは水路幅方向に所定間隔で並設されている。このため、当然に、複数のスクリーンバー同士の隙間を通じて、開放型水路部から暗渠型水路部へと液体を流通させることができ、スクリーンバーが液体の流通を阻害することもないという効果がある。
【００２４】
請求項２記載の暗渠型水路部流入進入防止用スクリーン装置によれば、請求項１記載の暗渠型水路部流入進入防止用スクリーン装置の奏する効果に加え、複数のスクリーンバーは、連結部材によって、支保部材に対して着脱可能に連結される。よって、それぞれ個別に支保部材に貫設されるだけの複数のスクリーンバーは、支保部材を介して暗渠型水路部の流入口上部壁面に纏めて繋留されるので、各スクリーンバーがバラバラに紛失することを防止できるという効果がある。
【００２５】
請求項４又は請求項５記載の記載の暗渠型水路部流入進入防止用スクリーン装置によれば、請求項３記載の暗渠型水路部流入進入防止用スクリーン装置の奏する効果に加え、施錠具により両端部が施錠される連環状のチェーン部材を介して複数のスクリーンバーを繋ぎ合わせるようにして、これら複数のスクリーンバーを支保部材に対して連結できる。よって、施錠具を解錠して各スクリーンバーの各遊挿孔からチェーン部材を引き抜けば、何の機械的な操作も必要なく容易にスクリーンバーと支保部材との連結状態を解除もできるという効果がある。
【００２６】
請求項６記載の暗渠型水路部流入進入防止用スクリーン装置によれば、請求項１から５のいずれかに記載の暗渠型水路部流入進入防止用スクリーン装置の奏する効果に加え、複数のスクリーンバーは、その断面縦方向がその断面横方向に比べて長く形成される板状体であって、その断面縦方向が水路の液体流通方向と平行となるように形成されている。このため、複数のスクリーンバーは、液体流通方向に対して撓み変形されにくく形成されることとなる。
【００２７】
よって、水路内を流される人や動物の重量が増水時の流体力と共に複数のスクリーンバーに加わるような場合でも、その重量及び流体力に屈することなく、複数のスクリーンバーによって人や動物を頑強に堰き止めることができるという効果がある。
【考案を実施するための最良の形態】
【００２８】
以下、本考案の好ましい実施例について、添付図面を参照して説明する。図１は、本考案の暗渠型水路部流入進入防止用スクリーン装置の一実施例であるスクリーン装置１の右側断面図（図２のＩ−Ｉ線における縦断面図）であって、そのスクリーン装置１が水路２０に設置された状態を図示したものである。なお、図１では、水路２０を縦断面視しており、矢印Ｘが液体Ｗの流通方向を示しており、更に、図５に示すチェーン１５及び施錠具１６の図示を省略している。
【００２９】
図１に示すように、スクリーン装置１が設置される水路２０は、その上流側（図１左側）に開放路２１が設けられ、その開放路２１の下流側（図１右側）に暗渠路２２が連通して設けられており、排液などの液体Ｗが開放路２１から暗渠路２２へ向けて流通するものである。なお、本実施例の開放路２１としては、その深さが略１ｍ前後のものを用いて説明している。
【００３０】
開放路２１は、例えば、地表面ＧＬに露出した状態で埋設され、その上面部が開放される有底略Ｕ字溝等の水路構造体である。一方、暗渠路２２は、下水管などのように地中に埋設され、且つ、その上面部が覆土又は天蓋などで覆われた状態で埋設される水路構造体である。また、開放路２１の下流側端部には液体Ｗの流通方向（図１の矢印Ｘ方向）に対して直交して垂設される壁面２３が設けられており、この壁面２３に暗渠路２２へと通じる流入口２４が開口形成されている。
【００３１】
図１に示すように、スクリーン装置１は、水路２０に設置されて暗渠路２２へ人や動物などが流入することを防止するためのものであり、主として、複数本のスクリーンバー２と、支保金具３とを備えている（図２参照）。複数本のスクリーンバー２はいずれも略鉛直方向（図１上下方向）に長尺な側面視略台形状の板状体であり、いずれもが略同一形態に形成されている。
【００３２】
このスクリーンバー２は、暗渠路２２の流入口２４の上縁部から下縁部にかけて垂設されており、その下端部が開放路２１の底面に離反可能に当接した状態で略鉛直方向（略垂直方向）へ向けて縦立されている。また、スクリーンバー２の下端部における上流側端面（図１左側）には勾配面２ａが形成されており、この勾配面２ａの形成によって支保金具３の後述する挿通孔６ａ，７ａ（図５参照）へ挿入され易い尖形状とされている。
【００３３】
図２は、スクリーン装置１の正面図であって、そのスクリーン装置１が水路２０に設置された状態を図示し、開放路２１を縦断面視したものである。なお、図２では、図１と同様に、図５に示すチェーン１５及び施錠具１６の図示を省略している。
【００３４】
図２に示すように、複数本のスクリーンバー２はそれぞれ独立した板状体であって、水路２０内の液体Ｗの流通方向（図１の矢印Ｘ方向）に対して略直交する水路２０幅方向（図２左右方向）に所定間隔で並設されている。なお、本実施例では、合計４本のスクリーンバー２が水路２０の幅方向に略０．１ｍ前後の間隔で並設されている。
【００３５】
図３は、図１に図示される支持金具３を拡大視した部分的拡大図であって、図５に示すチェーン１５及び施錠具１６の図示を省略している。
【００３６】
図３に示すように、支保金具３は、複数本のスクリーンバー２の上部を支保して、その複数本のスクリーンバー２を水路２０内における暗渠路２２の流入口２４より上流側（図１左側）で拘止するためのものである。支保金具３は、上記した壁面２３の一部であって流入口２４の上方に垂設される流入口上部壁面２３ａに固定されており、主に、固定ブラケット５と、上下一対の支保プレート６，７とを備えている。
【００３７】
具体的には、流入口上部壁面２３ａに固定されるのは固定ブラケット５であり、この固定ブラケット５は、その裏面５ｂが流入口上部壁面２３ａに当着されている。また、固定ブラケット５の前面５ａからは、一対の支保プレート６，７が略鉛直方向（図３上下方向）に間隔を隔てて略平行に且つ流入口上部壁面２３ａの反配設側（図１左側）へ向けて突設されている。この上下一対の支保プレート６，７の双方には、各スクリーンバー２の上部が略鉛直方向に挿脱可能に貫設され且つ跨設されている。
【００３８】
各スクリーンバー２の上部には、その各スクリーンバー２の並設方向（図３の紙面に対する垂直方向又は図２の左右方向）に貫通する側面視略円形状の遊挿孔８，９が上下に間隔を隔てて穿設されている。ここで、各スクリーンバー２が開放路２１の底面に縦立されている状態で、一方の遊挿孔８は各スクリーンバー２の上部であって一対の支保プレート６，７間となる部分に、他方の遊挿孔９は各スクリーンバー２の上部であって支保プレート６より上方となる部分に、それぞれ穿設されている。
【００３９】
図４は、スクリーン装置１の平面図であって、そのスクリーン装置１が水路２０に設置された状態を図示しており、矢印Ｘが液体Ｗの流通方向を示しており、更に、チェーン１５及び施錠具１６の図示を省略している。
【００４０】
図４に示すように、固定ブラケット５は、その幅方向一端側（図４右側）に平面視略Ｌ字形に補助ブラケット１０が一体的に連設されており、この補助ブラケット１０の外側面１０ａが開放路２１の側部壁面２１ａに当着されている。そして、これらの固定ブラケット５及び補助ブラケット１０は、アンカーボルト及びナットから成る固定具１１を介して、流入口上部壁面２３ａ及び開放路２１の側部壁面２１ａにそれぞれ固定されている。
【００４１】
また、複数本のスクリーンバー２は、それらの側面視幅（断面縦方向の長さ）Ｗ１が正面視幅（断面横方向の長さ）Ｗ２に比べて長く形成されており（Ｗ１＞Ｗ２）、その側面視幅Ｗ１が水路２０における液体Ｗの流通方向（矢印Ｘ方向）と平行となるように形成されている。
【００４２】
図５は、図４の部分的拡大図であって、全てのスクリーンバー２及び支保プレート６，７を部分的に縦断面視し、尚かつ、複数本のスクリーンバー２をチェーン１５及び施錠具１６で連結した状態を図示したものである。
【００４３】
図５に示すように、支保金具３の支保プレート６，７には、その厚み方向（図５上下方向）に貫通する挿通孔６ａ，７ａが水路２０の幅方向（図５左右方向）に所定間隔で４箇所ずつ穿設されており、各挿通孔６ａの鉛直下方には、その挿通孔６ａと対を成す挿通孔７ａが対向するように穿設されている。このため、各スクリーンバー２は、その上部が支保プレート６，７における上下に対を成す挿通孔６ａ，７ａに同時に挿通されることで、支保金具３に対して略鉛直方向に挿脱可能に貫設されている。
【００４４】
また、複数本のスクリーンバー２は、連環状のチェーン１５と南京錠などの施錠具１６とによって支保金具３に対して連結されている。具体的には、チェーン１５が、全てのスクリーンバー２の各遊挿孔８に遊挿され、更に、全てのスクリーンバー２の各遊挿孔９にも遊挿された上で、そのチェーン１６の両端部が施錠具１６によって施錠されることで、全てのスクリーンバー２が相互に繋ぎ合わせられ且つ支保金具３に連結される。この結果、チェーン１５の存在が邪魔となって、複数本のスクリーンバー２が支保プレート６，７から抜脱不能な状態となるのである。
【００４５】
次に、スクリーン装置１の使用方法について説明する。まず、水路２０上流側から下流側へ流通する液体Ｗは、開放路２１を流下した後、複数本のスクリーンバー２同士の間を通過して、暗渠路２２の流入口２４を通じて暗渠路２２内へと流入する。このとき、人や動物が水路２０内を流通する液体Ｗ中に転落して押し流されると、人や動物は開放路２１から暗渠路２２へと流入する手前で、複数本のスクリーンバー２により堰き止められる。また、水路２０内を流通する液体Ｗが低量なとき、特に、水路２０内の底部に液体Ｗが滞留しているようなときに、人や動物が開放路２１内へ降りて暗渠路２２の流入口２４から暗渠路２２内へ進入しようとすれば、複数本のスクリーンバー２によって阻まれる。
【００４６】
更に、複数本のスクリーンバー２にゴミが絡み付き、水路２０内の液体Ｗの流通が阻害されるような場合には、まず、施錠具１６が解錠されてチェーン１５の両端部が分離されて、このチェーン１５が全てのスクリーンバー２の遊挿孔８，９から引き抜かれる。すると、各スクリーンバー２と支保金具３との連結状態が解除されるので、ゴミが絡み付いているスクリーンバー２だけが水路２０内から略鉛直方向に抜き上げられて、そのスクリーンバー２からゴミが除去される。
【００４７】
以上、実施例に基づき本考案を説明したが、本考案は上記実施例に何ら限定されるものではなく、本考案の趣旨を逸脱しない範囲内で種々の改良変形が可能であることは容易に推察できるものである。例えば、本実施例では、スクリーンバー２の本数を４本としたが、かかるスクリーンバーの本数は必ずしもこれに限定されるものではなく、流入口の開口幅に応じて適宜本数を増減しても良い。即ち、スクリーンバー同士の隙間から人や動物などが流入口へすり抜けることさえなければ、スクリーンバーの本数を適宜増減させることは当然にしても良いものである。
【００４８】
また、本実施例では、各スクリーンバー２に上下一対の遊挿孔８，９を穿設したが、かかる各スクリーンバー２に穿設される遊挿孔は必ずしも上下一対である必要性はなく、各スクリーンバー２に穿設されるのが一対の支保プレート６，７間に位置する遊挿孔８のみであっても良い。
【００４９】
また、本実施例では、各スクリーンバー２が開放路２１の底面に縦立されている状態で、一方の遊挿孔８が一対の支保プレート６，７間に、他方の遊挿孔９が上側の支保プレート６より上方に、それぞれ位置するように各スクリーンバー２に穿設された。しかしながら、他方の遊挿孔９の穿設部分は必ずしもこれに限定されるものではなく、例えば、各スクリーンバー２が開放路２１の底面に縦立されている状態で支保プレート７より下側となる各スクリーンバー２の部分に穿設しても良い。
【００５０】
また、本実施例では、本考案の連結部材としてチェーン１５及び施錠具１６を例に説明したが、かかる連結部材の形態は必ずしもこれに限定されるものではなく、例えば、全てのスクリーンバー２の遊挿孔８に対して閂棒を挿通させて、その閂棒を支保金具３に対して施錠などにより結着させるようなものであっても良い。つまり、複数のスクリーンバーを纏めて支保金具に対して着脱可能に連結可能な機構であれば良い。また、施錠具１６の形態は必ずしも南京錠に限定されるものではなく、ダイヤルロック式など他の方式の施錠具であっても良い。
【図面の簡単な説明】
【００５１】
【図１】本考案の一実施例であるスクリーン装置の右側断面図（図２のＩ−Ｉ線における縦断面図）である。
【図２】スクリーン装置の正面図である。
【図３】図１に図示される支持金具を拡大視した部分的拡大図である。
【図４】スクリーン装置の平面図である。
【図５】図４の部分的拡大図であって複数本のスクリーンバーをチェーン及び施錠具で連結した状態を図示したものである。
【符号の説明】
【００５２】
１                  スクリーン装置（暗渠型水路部流入進入防止用スクリーン装置）
２                  スクリーンバー
３                  支保金具（支保部材）
５                  固定ブラケット（固定板の一部）
６，７              支保プレート（支保板）
８                  遊挿孔（第１の遊挿孔）
９                  遊挿孔（第２の遊挿孔）
１０                補助ブラケット（固定板の一部）
１５                チェーン（チェーン部材、連結部材の一部）
１６                施錠具（施錠具、連結部材の一部）
２０                水路
２１                開放路（開放型水路部）
２１ａ              側部壁面（上部壁面の一部）
２２                暗渠路（暗渠型水路部）
２３ａ              流入口上部壁面（上部壁面の一部）
２４                流入口
Ｗ                  液体
Ｗ１                側面視幅（断面縦方向の長さ）
Ｗ２                正面視幅（断面横方向の長さ）
【図１】
0003114370.tif 000003
【図２】
0003114370.tif 000004
【図３】
0003114370.tif 000005
【図４】
0003114370.tif 000006
【図５】
0003114370.tif 000007